(57)【特許請求の範囲】
【請求項１】
温水を熱交換する熱交換器および、この熱交換器を介して室内空気を吸引して温風を吹き出す温風ファンなどを取り付けた筐体と、この筐体の前面を覆い、前記温風ファンの送風経路の一部を形成するフロントパネルを備え、筐体は樹脂成形で一体化構成するとともに室内空気吸込部近傍の適所に室温を検出する温度検出器を配設し、前記フロントパネルは金属板で前面の全体または一部に絞り加工で内外面に凹凸部を設けた放熱装置。
【請求項２】
筐体は背面の上部両端に凹部を設けるとともに、前記凹部上方の外郭の一部に突起部を設け、フロントパネルの係止部とした請求項１記載の放熱装置。
【請求項３】
筐体は箱状形態とし、略中央部に熱交換器を載置するとともに送風経路を形成する段部と、この段部両端に突起部を設けて熱交換器枠を載置するとともに、前記段部の下方の筐体形状を温風ファンの形状に応じた曲面状にした請求項１記載の放熱装置。
【発明の詳細な説明】
【０００１】
【発明の属する技術分野】
本発明は温水を循環して室内の暖房を行う放熱装置に関するものである。
【０００２】
【従来の技術】
一般にこの種の放熱装置は図８に示すように室外に温水を加熱する熱源機１を設け、この温水を熱源機１に内蔵した温水循環手段２により温水配管３を介して室内に設置した熱交換器５と温風ファン６を内蔵する放熱装置４に循環し、温風ファン６からの送風を熱交換器５で熱交換して温風吹出口７から吹出し室内を暖房するようになっている。
【０００３】
そして、放熱装置４は金属または樹脂で構成された筐体９に熱交換器５と温風ファン６を取り付け、背面適所に温度検出器８を設けている。そして、同質の材料で構成されたフロントパネル１０で前面を覆うというものであった。さらに、フロントパネル１０の係止部や取手部および温風ファンの送風ガイドなどは別部品を取り付けて構成しており、複雑な本体構成を有するものであった。
【０００４】
【発明が解決しようとする課題】
しかしながら、従来は熱交換器５や温風ファン６を取り付ける筐体９と前面を覆うフロントパネル１０は同質の材料で構成されている場合が多く、例えば、金属で構成した場合などは強度的には問題ないが、熱伝導性が優れているため輻射が多く本体背面に取り付けられる温度検出器への影響が大きくなる。つまり室温より本体からの輻射熱を検出するという結果になり、実際の室温と表示温度が異なるという問題となった。  さらに、金属の場合は加工的に複雑な構成が取れないため別部品を多く組み合わせて取り付けるという構成となり、部品点数、取付工数が増大し、複雑な構造になるという欠点も有するものであった。
【０００５】
また、前記のような問題を解消しようとして、樹脂で構成した場合などは遮熱効果が優れているためフロントパネルからの輻射がほとんど遮断され、暖房効率が低下するという問題を有するものであった。
【０００６】
本発明は上記問題点に鑑みてなしたもので、筐体を樹脂成形で一体化構成し、フロントパネルは前面に凹凸部を設けた金属板で構成して、暖房効率の向上及び本体構成の簡素化を図ることを目的としたものである。
【０００７】
【課題を解決するための手段】
本発明は上記課題を解決するため、温水を熱交換する熱交換器および、この熱交換器を介して室内空気を吸引して温風を吹き出す温風ファンなどを取り付けた筐体と、この筐体の前面を覆い、前記温風ファンの送風経路の一部を形成するフロントパネルを備え、筐体は樹脂成形で一体化構成するとともに室内空気吸込部近傍の適所に室温を検出する温度検出器を配設し、前記フロントパネルは金属板で前面の全体または一部に絞り加工で内外面に凹凸部を設けた構成としている。
【０００８】
上記発明によれば、熱交換器や温風ファンを取り付ける筐体は樹脂成形で一体化構成としているため、複雑な取付構成、取手部および温風ファンの送風ガイドなどを別部品を使用することなく形成することができ、かつ熱交換器からの輻射を遮断して背面部に設けた温度検出器への影響を軽減し、室温検出の精度を向上することができるものである。また、前面を覆うフロントパネルは全体または一部に絞り加工で内外面に凹凸部を設けた金属で構成しているため、強度の確保と輻射面を増大して熱交換器からの輻射熱を効率よく室内に放出して暖房効率を向上すると共に送風経路で発生する送風音を前記フロントパネル前面に設けた凹凸部で反響を繰り返すことにより減衰させ遮音効果を向上するようにしている。
【０００９】
【発明の実施の形態】
本発明の請求項１の放熱装置は、温水を熱交換する熱交換器および、この熱交換器を介して室内空気を吸引して温風を吹き出す温風ファンなどを取り付けた筐体と、この筐体の前面を覆い、前記温風ファンの送風経路の一部を形成するフロントパネルを備え、筐体は樹脂成形で一体化構成するとともに室内空気吸込部近傍の適所に室温を検出する温度検出器を配設し、前記フロントパネルは金属板で前面の全体または一部に絞り加工で内外面に凹凸部を設けた構成としている。
【００１０】
そして、熱交換器や温風ファンを取り付ける筐体は樹脂成形で一体化構成としているため、複雑な取付構成、取手部および温風ファンの送風ガイドなどを別部品を使用することなく形成することができ、かつ熱交換器からの輻射を遮断して背面部に設けた温度検出器への影響を軽減し、室温検出の精度を向上することができるものである。また、前面を覆うフロントパネルは全体または一部に絞り加工で内外面に凹凸部を設けた金属で構成しているため、強度の確保と輻射面を増大して熱交換器からの輻射熱を効率よく室内に放出して暖房効率を向上すると共に送風経路で発生する送風音を前記フロントパネル前面に設けた凹凸部で反響を繰り返すことにより減衰させ遮音効果を向上するようにしている。
【００１１】
また、請求項２記載の放熱装置は、筐体は背面の上部両端に凹部を設けるとともに、前記凹部上方の外郭の一部に突起部を設け、フロントパネルの係止部としている。
【００１２】
そして、筐体の一部に凹部を設けて取手部とし、前記凹部上方の外郭の一部に突起部を設けてフロントパネルの係止部とすることで別部品を取り付けることなく、樹脂一体成形で取手部と係止部を構成することができ、部品点数や取付工数の削減を図ることができる。
【００１３】
また、請求項３の放熱装置は、筐体は箱状形態とし、略中央部に熱交換器を載置するとともに送風経路を形成する段部と、この段部両端に突起部を設けて熱交換器枠を載置するとともに、前記段部の下方の筐体形状を温風ファンの形状に応じた曲面状としている。
【００１４】
そして、筐体への部品の取付構成および温風ファンの送風ガイドを樹脂成形で一体化構成することで別部品を取り付けることなく簡単な構成ですみ、部品点数や取付工数の削減を図ることができる。
【００１５】
【実施例】
以下本発明の一実施例について図面に基づき説明する。
【００１６】
（実施例４）
図１は本発明の一実施例の放熱装置の正面斜視図、図２は同装置の背面斜視図、図３は同装置の側面図、図４は同装置の詳細構成図、図５は同装置の筐体の構成図、図６は同装置の細部詳細図である。
【００１７】
１１は金属で構成したフロントパネルで放熱装置の前面を覆い、送風経路の一部を形成する。１１ａはフロントパネル１１の送風経路部分に設けた凹凸部で、絞り加工により内外面に凹凸部を一体成形している。１２は樹脂で一体成形した筐体で、背面に空気取入口１３を設け、その近傍に温度検出器１４を配設している。また、内部には熱交換器１５を載置する段部１９を有し、送風経路の一部を形成するとともに、両端に突起部１９ａを設け、熱交換器枠１５ａを簡単に取り付けられるような構成としている。２０は温水往き口、２１は温水戻り口で温水配管の接続部である。２２は制御信号接続部で熱源機（図示せず）との運転信号の送受信を行うための通信線の接続部である。２３は筐体１２の上部両端に設けた凹部、２４は凹部２３の上部外郭に設けた係止部、２５は段部１９の下方に設けた送風ガイドで樹脂の一体成形にて構成している。２６は置台、２７は切起し部で筐体１２およびモータ１６とファン１７で構成する送風ユニット１８を載置し、切起し部２７に設けた取付孔を介してビス止めするようにしている。
【００１８】
上記のように構成された放熱装置において、本体背面に設けた空気取入口１３より吸引された室内空気は温水往き口２０と熱交換器１５と温水戻り口２１で形成する温水経路により熱交換されて、フロントパネル１１で形成する送風経路を経由して温風吹出口２８より室内に吹き出される。温風吹出角度は温風吹出口２８に設けた可変ルーバー２９を空気取入口１３の近傍に配設した温度検出器１４により検出される室温に応じて設定され、室温が低いときは略水平方向に吹き出し、室温が上昇するにつれて下方向に吹き出すようにしている。この温度検出器１４は樹脂で一体成形した筐体１２の背面に所定の間隔を保って取り付けるようにしているため、本体からの輻射熱を受けることなく、的確に室温を検出することができ、精度の高い温風制御を行うことができる。
【００１９】
また、温風経路を形成するフロントパネル１１は金属製で構成しているため熱伝導性に優れ、本体前面からの輻射熱により暖房効果を向上することができる。さらに、フロントパネル１１の前面で送風経路の一部を構成する部分には絞り加工等で内外面に形成した凹凸部１１ａを有し、輻射面を増大させる構成として送風時の輻射量を増加させるようにし、輻射熱による暖房効果をさらに向上するとともに送風経路で発生する送風騒音を乱反射させることにより減衰させるという騒音の低減にも寄与するものである。
【００２０】
また、凹凸部１１ａを設けることで強度面、美観面での向上も図ることができ商品性を大巾に向上するものである。
【００２１】
さらに、筐体１２の上部両端に設けた背面側が開口した凹部２３は図６に示すように指が挿入できる程度の大きさとして取手部を形成し、その上部外郭には突起部を設け、フロントパネル１１を引っかけて固定するための係止部２４を形成するようにしている。
【００２２】
また、筐体１２の略中央部に設けた段部１９に熱交換器１５を載置し、両端に設けた突起部１９ａに熱交換器枠１５ａを固定し、その下方に送風ユニット１８を置台２６の切起し部２７に前面から取り付け、取り外しができるような構成で取り付けるようにしている。そして、送風ファン１７に沿うように筐体１２を曲面状に構成した送風ガイド２５を設けている。
【００２３】
上記のように筐体１２の構成を樹脂の一体成形で行うことで部品点数と工数の削減を図ることができるとともに送風ユニット１８を前面より取り付けができるように置台２６の切り起こし部２７に取り付けることでメンテナンス性を大巾に向上することができる。
【００２４】
【発明の効果】
以上説明したように請求項１の放熱装置によれば、熱交換器や温風ファンを取り付ける筐体は樹脂成形で一体化構成としているため、複雑な取付構成、取手部および温風ファンの送風ガイドなどを別部品を使用することなく形成することができ、かつ熱交換器からの輻射を遮断して背面部に設けた温度検出器への影響を軽減し、室温検出の精度を向上することができるものである。また、前面を覆うフロントパネルは全体または一部に絞り加工で内外面に凹凸部を設けた金属で構成しているため、強度の確保と輻射面を増大して熱交換器からの輻射熱を効率よく室内に放出して暖房効率を向上すると共に送風経路で発生する送風音を前記フロントパネル前面に設けた凹凸部で反響を繰り返すことにより減衰させ遮音効果を向上することができる。
【００２５】
また、請求項２の放熱装置によれば、筐体の一部に凹部を設けて取手部とし、前記凹部上方の外郭の一部に突起部を設けてフロントパネルの係止部とすることで別部品を取り付けることなく、樹脂一体成形で取手部と係止部を構成することが部品点数や取付工数の削減を図ることができる。
【００２６】
また、請求項３の放熱装置によれば、筐体への部品の取付構成および温風ファンの送風ガイドを樹脂成形で一体化構成することで別部品を取り付けることなく簡単な構成ですみ、部品点数や取付工数の削減を図ることができる。
【００２７】
さらに、筐体中央部に熱交換器を載置する段部と、その両端に熱交換器枠を載置する突起部を設けた構成としていることで筐体のみで熱交換器を保持する事ができる。従って、温風ファンや送風モーターをメンテナンスする際には送風ブロックのみ取外す事が可能で、少ない分解工数でメンテナンスを行なう事ができる。
【図面の簡単な説明】
【図１】本発明の一実施例の放熱装置の正面斜視図
【図２】同放熱装置の背面斜視図
【図３】同放熱装置の側面図
【図４】同放熱装置の詳細構成図
【図５】同放熱装置の筐体の構成図
【図６】同放熱装置の細部詳細図
【図７】従来の放熱装置の構成図
【符号の説明】
１１  フロントパネル
１１ａ  凹凸部
１２  筐体
１４  温度検出器
１５  熱交換器
１５ａ  熱交換器枠
１７  温風ファン
１９  段部
１９ａ  突起部
２３  凹部
２４  係止部
２５  送風ガイド
【図１】
0003815002.tif 000002
【図２】
0003815002.tif 000003
【図３】
0003815002.tif 000004
【図４】
0003815002.tif 000005
【図５】
0003815002.tif 000006
【図６】
0003815002.tif 000007
【図７】
0003815002.tif 000008